(57)【要約】【課題】先端部が屈曲したガイドワイヤを屈曲形状のまま挿入でき、カテーテルへの挿入作業を容易に行うことができる、ガイドワイヤ用インサータを提供する。【解決手段】このガイドワイヤ用インサータ１０は、先端部３が屈曲したガイドワイヤ１を医療用チューブ７に挿入するためのものであって、筒状の本体部２０を有しており、本体部２０の基端部２１の内径が、ガイドワイヤ１の先端部３を屈曲形状のまま挿入可能な大きさに形成され、本体部２０の先端部２３が複数に分割されて開閉可能とされており、先端部２３が開いた状態では、ガイドワイヤ１の先端部３を屈曲形状のまま挿通可能な内径とされ、先端部２３が閉じた状態では、ガイドワイヤ１の先端部３の屈曲部が開いて、ガイドワイヤ１の先端が挿入方向に向いた状態に規制できる内径とされている。【選択図】図１
2014028001.tif 000002
【特許請求の範囲】
【請求項１】
先端部が屈曲したガイドワイヤを医療用チューブに挿入するための、ガイドワイヤ用インサータであって、
筒状の本体部を有しており、
該本体部の基端部の内径が、前記ガイドワイヤの先端部を屈曲形状のまま挿入可能な大きさに形成され、
前記本体部の少なくとも先端部が複数に分割されて開閉可能とされており、前記本体部の先端部が開いた状態では、前記本体部の基端部から挿入された前記ガイドワイヤの先端部を屈曲形状のまま挿通可能な内径とされ、前記本体部の先端部が閉じた状態では、前記ガイドワイヤの先端部の屈曲部が開いて、前記ガイドワイヤの先端が挿入方向に向いた状態に規制できる内径とされていることを特徴とするガイドワイヤ用インサータ。
【請求項２】
前記本体部は、その軸方向に沿って２つに分割された半割体を有しており、これらの半割体が中間部に設けたヒンジにより開閉可能に連結された構造をなしている請求項１記載のガイドワイヤ用インサータ。
【請求項３】
前記半割体の、前記ヒンジにより連結された部分よりも基端部側の側壁には、前記ガイドワイヤの先端部を挿入可能な切欠きが設けられている請求項２記載のガイドワイヤ用インサータ。
【請求項４】
前記本体部には、前記先端部を閉じる方向に付勢する弾性手段が設けられている請求項１〜３のいずれか１つに記載のガイドワイヤ用インサータ。
【請求項５】
前記本体部には、前記先端部を閉じた状態に保持する保持手段が設けられている請求項１〜４のいずれか１つに記載のガイドワイヤ用インサータ。
【請求項６】
前記本体部の先端部は、前記本体部の軸方向に沿って伸びるスリットにより分割されており、該スリットの基端部に円弧状の切欠き部が形成されている請求項１〜５のいずれか１つに記載のガイドワイヤ用インサータ。
【発明の詳細な説明】
【技術分野】
【０００１】
本発明は、カテーテルやシース等の医療用チューブに、ガイドワイヤを挿入するための、ガイドワイヤ用インサータに関する。
【背景技術】
【０００２】
従来、血管、尿管、気管、胆管、膵管等の人体の管状器官における検査や治療のため、ガイドワイヤを介して管状器官内にカテーテルを挿入した後、このカテーテルを利用してステントを留置したり、造影剤を投与して造影したり、制癌剤等の薬液を投与したりする等といったことが行われている。
【０００３】
また、ガイドワイヤとしては、複数の管状器官が分岐した分岐部で、所定の管状器官にガイドワイヤを挿入したり、或いは、管状器官内壁の損傷を防止したりするために、その先端部を、Ｊ字状やＵ字状、アングル形状等に屈曲したものを用いることがある。
【０００４】
管状器官内にカテーテルを挿入する方法としては、様々な方法があるが、例えば、カテーテルの基端開口からカテーテル内にガイドワイヤを予め挿入しておき、カテーテル使用時に、カテーテルの先端開口からガイドワイヤを挿出して、その先端を目的箇所に到達させた後、ガイドワイヤに沿ってカテーテルを移動させる方法が知られている。
【０００５】
上記方法を用いる場合、先端部が屈曲したガイドワイヤを、カテーテル内に挿入する際に、先端部を直線状に引き伸ばしてからカテーテルの基端開口から挿入していくが、先端部を引き伸ばした状態に維持することが難しく、この作業は非常に困難であった。
【０００６】
そのため、筒状のインサータを用いられている。すなわち、ガイドワイヤの屈曲した先端部よりもやや基部側にインサータを装着しておき、カテーテル挿入時にガイドワイヤを手元側に引張って、その先端部をインサータ内に引き込んで引き伸ばした後、インサータの先端部をカテーテルの基端開口に差し込み、その状態でガイドワイヤを押し込むことで、インサータを通してカテーテル内にガイドワイヤが挿入されるようになっている。
【０００７】
また、下記特許文献１には、Ｊ字型に屈曲した先端部を有するガイドワイヤをカテーテル内に挿入するためのインサータとして、略筒状をなすと共に、その外壁に、基端開口より先端方向に延び、かつ、インサータ内腔の通路と連通する切り欠き部を有するものが記載されている。
【０００８】
このインサータではの場合、まず、ガイドワイヤの先端方向とインサータの先端方向とが反転した状態で、インサータの切り欠き部を通してガイドワイヤの先端部を挿入し、その状態でガイドワイヤの先端方向とインサータの先端方向とが一致するように、いずれかを引き起こすことによって、ガイドワイヤの先端部をインサータ内に挿入することができる。
【先行技術文献】
【特許文献】
【０００９】
【特許文献１】特開平７−１５５３８２号公報
【発明の概要】
【発明が解決しようとする課題】
【００１０】
上述したような、ガイドワイヤの屈曲した先端部よりもやや基部側に予めインサータを装着した製品においては、作業中にガイドワイヤの先端からインサータが抜け外れてしまい、インサータをガイドワイヤに再度装着する必要が生じることがあった。しかし、インサータの基端開口からガイドワイヤの屈曲した先端部を挿入することは難しく、また、インサータの先端開口から、ガイドワイヤの基端部を挿入する場合は、ガイドワイヤの先端側にインサータが配置されるまでインサータ又はガイドワイヤを移動しなければならず作業が面倒なうえ、インサータ内周とガイドワイヤとの摺動によってガイドワイヤ表面の親水性コーティング等が剥がれやすいという問題があった。
【００１１】
一方、特許文献１記載のインサータを用いたガイドワイヤの挿入作業では、前述したように、ガイドワイヤの先端方向とインサータの先端方向とが反転した状態で、インサータの切り欠き部を通してガイドワイヤの先端部を挿入した後、インサータ又はガイドワイヤを引き起こす必要があるため、作業性を向上させにくいという問題があった。
【００１２】
したがって、本発明の目的は、先端部が屈曲したガイドワイヤを、屈曲した形状のまま挿入でき、カテーテルへの挿入作業を容易に行うことができる、ガイドワイヤ用インサータを提供することにある。
【課題を解決するための手段】
【００１３】
上記目的を達成するため、本発明のガイドワイヤ用インサータは、先端部が屈曲したガイドワイヤを医療用チューブに挿入するためのものであって、筒状の本体部を有しており、該本体部の基端部の内径が、前記ガイドワイヤの先端部を屈曲形状のまま挿入可能な大きさに形成され、前記本体部の少なくとも先端部が複数に分割されて開閉可能とされており、前記本体部の先端部が開いた状態では、前記本体部の基端部から挿入された前記ガイドワイヤの先端部を屈曲形状のまま挿通可能な内径とされ、前記本体部の先端部が閉じた状態では、前記ガイドワイヤの先端部の屈曲部が開いて、前記ガイドワイヤの先端が挿入方向に向いた状態に規制できる内径とされていることを特徴とする。
【００１４】
本発明のガイドワイヤ用インサータにおいては、前記本体部は、その軸方向に沿って２つに分割された半割体を有しており、これらの半割体が中間部に設けたヒンジにより開閉可能に連結された構造をなしていることが好ましい。
【００１５】
本発明のガイドワイヤ用インサータにおいては、前記半割体の、前記ヒンジにより連結された部分よりも基端部側の側壁には、前記ガイドワイヤの先端部を挿入可能な切欠きが設けられていることが好ましい。
【００１６】
本発明のガイドワイヤ用インサータにおいては、前記本体部には、前記先端部を閉じる方向に付勢する弾性手段が設けられていることが好ましい。
【００１７】
本発明のガイドワイヤ用インサータにおいては、前記本体部には、前記先端部を閉じた状態に保持する保持手段が設けられていることが好ましい。
【００１８】
本発明のガイドワイヤ用インサータにおいては、前記本体部の先端部は、前記本体部の軸方向に沿って伸びるスリットにより分割されており、該スリットの基端部に円弧状の切欠き部が形成されていることが好ましい。
【発明の効果】
【００１９】
本発明によれば、ガイドワイヤの先端部を屈曲形状のままインサータの本体部の基端部に挿入し、屈曲した先端部を本体部の先端部から挿出させた後、本体部の先端部を閉じて、ガイドワイヤを手元側に引き戻すことにより、ガイドワイヤの屈曲部が開いて、ガイドワイヤの先端が挿入方向に向いた状態にすることができる。この状態で医療用チューブ又は該チューブに取付けられたハブの基端開口にインサータの先端部を挿入し、ガイドワイヤを押し出すことにより、インサータを介して医療用チューブ内にガイドワイヤを挿入することができる。
【００２０】
このように、ガイドワイヤの先端部を屈曲形状のままインサータに挿入することができ、ガイドワイヤの屈曲した先端部をインサータの本体部の先端部から挿出させた後、インサータの本体部の先端部を閉じて、ガイドワイヤを手元側に引き戻すだけで、インサータ内でガイドワイヤの先端が挿入方向に向いた状態にすることができるので、インサータを用いて医療用チューブにガイドワイヤを挿入する際の作業性を向上させることができる。
【図面の簡単な説明】
【００２１】
【図１】本発明に係るガイドワイヤ用インサータの第１実施形態を示しており、その斜視図である。
【図２】同ガイドワイヤ用インサータの拡大斜視図である。
【図３】同ガイドワイヤ用インサータを示しており、（ａ）は正面図、（ｂ）は平面図、（ｃ）は左側面図である。
【図４】同ガイドワイヤ用インサータの使用方法を示しており、（ａ）は第１工程の説明図、（ｂ）は第２工程の説明図、（ｃ）は第３工程の説明図である。
【図５】同ガイドワイヤ用インサータの使用方法を示しており、（ａ）は第４工程の説明図、（ｂ）は第５工程の説明図である。
【図６】同ガイドワイヤ用インサータの、他の使用方法を示す説明図である。
【図７】同ガイドワイヤ用インサータの、先端部における溝部の他形状を示しており、（ａ）は角形状の溝部を設けた場合の側面図、（ｂ）はＶ字状の溝部を設けた場合の側面図である。
【図８】本発明に係るガイドワイヤ用インサータの第２実施形態を示しており、（ａ）は先端部が開いた状態での正面図、（ｂ）は先端部が閉じた状態での正面図である。
【図９】本発明に係るガイドワイヤ用インサータの第３実施形態を示しており、（ａ）はその正面図、（ｂ）は（ａ）のＡ−Ａ矢示線における断面図である。
【図１０】本発明に係るガイドワイヤ用インサータの第４実施形態を示しており、（ａ）は先端部が閉じた状態での正面図、（ｂ）は先端部が閉じた状態での平面図、（ｃ）先端部が開いた状態での正面図である。
【図１１】本発明に係るガイドワイヤ用インサータの第５実施形態を示しており、（ａ）は先端部が閉じた状態での正面図、（ｂ）は先端部が閉じた状態での平面図である。
【図１２】本発明に係るガイドワイヤ用インサータの第６実施形態を示しており、（ａ）は先端部が閉じた状態での正面図、（ｂ）は先端部が閉じた状態での右側面図、（ｃ）先端部が開いた状態での正面図、（ｅ）は先端部が開いた状態での右側面図である。
【発明を実施するための形態】
【００２２】
以下、図１〜７を参照して、本発明に係るガイドワイヤ用インサータの第１実施形態について説明する。
【００２３】
図１に示すように、この実施形態におけるガイドワイヤ用インサータ１０（以下、「インサータ１０」という）は、先端部３が屈曲したガイドワイヤ１を、カテーテルやシース等の医療用チューブ５に挿入するためのものである。
【００２４】
この実施形態では、前記ガイドワイヤ１は、先端部３がＪ字状に屈曲した形状をなしており、また、医療用チューブ５の基端部には、インサータ１０を差し込むための、ハブ７が取付けられている。このハブ７には、基端側が大きく拡径し、先端側に向けて次第に縮径して、前記医療用チューブ５の内腔５ａに連通する、テーパ状の導入孔９が形成されている（図５（ｂ）参照）。また、ガイドワイヤ１としては、先端部３がＵ字状や所定角度のアングル形状に屈曲したものでもよく、屈曲形状は特に限定されない。なお、ハブ７には、インサータ１０のほか、薬液注入用のシリンジ等も接続することができる。
【００２５】
図２〜図６を併せて参照すると、この実施形態のインサータ１０は、基端部２１と、該基端部２１に連設された先端部２３とからなり、全体として筒状をなした本体部２０を有している。
【００２６】
前記基端部２１は円筒状をなしており、その外周が一定外径とされ、内周が基端側から先端側に向けて次第にやや縮径した形状とされており、基端開口における内径Ｄ１及び先端部２３の手前における内径Ｄ２が、前記ガイドワイヤ１の先端部３の屈曲部３ａの外径Ｗ１よりも大きく形成され（図３（ａ）及び図４（ｂ）参照）、前記ガイドワイヤ１の先端部３を屈曲形状のまま挿入できるようになっている。なお、基端部２１の内径は一定径としてもよく、基端側から先端側に向けて拡径したりしてもよく、特に限定されない。
【００２７】
上記の基端部２１の内径は、ガイドワイヤ１の先端部３を屈曲形状のまま挿入可能な大きさであればよく、上記のように、ガイドワイヤ１の屈曲部３ａの外径Ｗ１よりも基端部２１の内径が大きい場合のほか、ガイドワイヤ１を押し込むことで、先端部３を屈曲形状のまま基端部２１内に挿入可能であれば、ガイドワイヤ１の屈曲部３ａの外径Ｗ１よりも基端部２１の内径がやや小さくてもよい。
【００２８】
また、本体部２０の先端部２３は、スリット２５を介して複数に分割されて、それらが開閉可能な構造となっている。この実施形態では、先端部２３の対向する周壁に、先端側が幅広で基端側に向けて次第に幅狭とされた、細長の三角形状をなした一対のスリット２５，２５が形成されており（図３（ａ）参照）、これらのスリット２５，２５によって先端部２３が２分割されて、くちばし状をなした一対の先端部２３，２３が対向して設けられている。
【００２９】
また、各スリット２５の軸方向基端部には、円弧状の切欠き部２７がそれぞれ設けられている。更に図２及び図３（ｂ），（ｃ）に示すように、各先端部２３は、先端側が幅狭で基端側に向けて幅広とされた、軸方向に対して直交する断面が円弧形の樋状に形成されており、その内周には、前記基端部２１の内周に連通する、上記断面が円弧状の溝部２３ａがそれぞれ設けられている。
【００３０】
そして、一対の先端部２３，２３は、自由状態で互いに開いて、その内径が拡径した状態とされ、先端部２３，２３どうしを近接する方向に押圧すると、一対の先端部２３，２３が閉じて内径が縮径するようになっており（図４（ｃ）及び図５（ａ），（ｂ）参照）、また、閉じた状態の先端部２３，２３に、閉じる方向の押圧力が作用しなくなると、先端部２３，２３は弾性復元力により開くようになっている。
【００３１】
また、図３（ａ）に示すように、一対の先端部２３，２３は、開いた状態で、前記基端部２１の外周に対して、外方にやや反り返るように拡開するようになっている。更に各先端部２３は、上述したように先端側が幅狭で基端側が幅広の樋状をなしているので、一対の先端部２３，２３を閉じると、先細テーパ状に窄まるようになっている（図４（ｃ）及び図５（ａ）参照）。
【００３２】
なお、この実施形態では、各先端部２３の溝部２３ａが円弧状をなしているが、例えば、図７（ａ）に示すように、角形状の溝部２３ｂとしてもよく、図７（ｂ）に示すように、Ｖ字状の溝部２３ｃとしてもよく、特に限定されるものではない。
【００３３】
また、一対の先端部２３，２３が開いた状態で、その先端の内周面どうしの内径Ｄ３が、前記ガイドワイヤ１の先端部３の屈曲部３ａの外径Ｗ１よりも大きく形成されており（図３（ａ），（ｃ）及び図４（ｂ）参照）、ガイドワイヤ１の先端部３を屈曲形状のまま挿通できるようになっている。
【００３４】
なお、先端部２３が開いた状態の内径Ｄ３は、ガイドワイヤ１の先端部３を屈曲形状のまま挿通可能な大きさであればよく、上記のように、ガイドワイヤ１の屈曲部３ａの外径Ｗ１よりも先端部２３が開いた状態の内径Ｄ３が大きい場合のほか、ガイドワイヤ１を押し込むことで、先端部３を屈曲形状のまま基端部２１内に挿入可能であれば、ガイドワイヤ１の屈曲部３ａの外径Ｗ１よりも、先端部２３が開いた状態の内径Ｄ３がやや小さくてもよい。
【００３５】
また、図５（ａ）に示すように、一対の先端部２３，２３が閉じた状態で、その先端の内周面どうしの内径Ｄ４は、ガイドワイヤ１の先端部３の屈曲部３ａを開いて、その先端３ｂを医療用チューブ５に対する挿入方向に向いた状態に規制できる大きさとされている。すなわち、一対の先端部２３，２３を開いた状態で、ガイドワイヤ１の先端部３を、一対の先端部２３，２３の先端開口から挿出し（図４（ｂ）参照）、一対の先端部２３，２３を閉じてガイドワイヤ１を手元側に引き戻すと（図４（ｃ）参照）、ガイドワイヤ１の先端部３の屈曲部３ａを、その屈曲形状を伸ばすように開いて、先端部３の先端３ｂを医療用チューブ５に対する挿入方向に向いた状態に規制できるように構成されている（図５（ａ）参照）。
【００３６】
更に図４（ｂ）に示すように、一対の先端部２３，２３が開いた状態で、その先端の内周面どうしの内径Ｄ３は、ガイドワイヤ１の屈曲部３ａが芯線２に対して直角状に撓み変形したとき、芯線２外周から先端部３の先端３ｂまでの幅Ｗ２よりも小さく形成されており、図６に示すように、インサータ１０内に引き込んだガイドワイヤ１の屈曲部３ａが元の曲げ形状に戻らずに、先端部３の先端３ｂをガイドワイヤ１の挿入方向に向いた状態に保持できるようになっている。
【００３７】
上記構造をなしたインサータ１０は、所定の合成樹脂材料で射出成形することにより製造することができ、例えば、図２に示すように、予め一対の先端部２３，２３が２分割されて、開いた状態となるように射出成形したり、或いは、先端部２３を先細テーパ状に射出成形した後、スリット２５により２分割して、一対の先端部２３，２３を開くことにより製造してもよく、その製造方法は特に限定されない。
【００３８】
次に、上記構成からなるインサータ１０の使用方法について説明する。
【００３９】
すなわち、インサータ１０を、一対の先端部２３，２３が開いた自由状態としておき、図４（ａ）に示すように、Ｊ字状に屈曲した先端部３を有するガイドワイヤ１を、その先端部３を屈曲形状のまま、インサータ１０の基端部２１の基端開口に挿入していく。
【００４０】
そして、図４（ｂ）に示すように、屈曲した先端部３を一対の先端部２３，２３の先端開口から挿出させた後、図４（ｃ）に示すように、弾性力に抗して一対の先端部２３，２３どうしを近接させて閉じる。この状態を保持しつつ、図５（ａ）に示すように、ガイドワイヤ１を手元側に引き戻すと、ガイドワイヤ１の先端部３の屈曲部３ａが、引き伸ばされるように開いて、先端部３の先端３ｂが、医療用チューブ５に対する挿入方向に向いた状態に規制される。
【００４１】
そして、図５（ｂ）に示すように、医療用チューブ５基端に取付けられたハブ７の導入孔９の基端開口９ａに、インサータ１０の先端部２３を挿入して、ガイドワイヤ１を先端側に向けて押し出すことにより、その先端部３がインサータ１０の先端部２３の先端開口から挿出すると共に、ハブ７の導入孔９を通って医療用チューブ５の内腔５ａに導入されて、医療用チューブ５内にガイドワイヤ１を挿入することができる。
【００４２】
以上のように、ガイドワイヤ１の先端部３を屈曲形状のまま、基端部２１の基端開口からインサータ１０内に挿入することができると共に、同ガイドワイヤ１の屈曲した先端部３をインサータ１０の先端部２３，２３の先端開口から挿出させた後、同先端部２３，２３を閉じて、ガイドワイヤ１を手元側に引き戻すだけの簡単な作業で、インサータ１０内でガイドワイヤ１の先端部３の先端３ｂを、医療用チューブ５に対する挿入方向に向いた状態に規制することができるので、インサータ１０を用いて医療用チューブ５にガイドワイヤ１を挿入する際の作業性を大幅に向上させることができる。
【００４３】
また、この実施形態においては、図５（ａ）に示すように、インサータ１０内でガイドワイヤ１の先端部３の先端３ｂが、医療用チューブ５に対する挿入方向に向いて、一対の先端部２３，２３が閉じている状態で、作業者が手を離して、図６に示すように、一対の先端部２３，２３が開いてしまったとしても、ガイドワイヤ１の屈曲部３ａが元の曲げ形状に戻ることなく、先端部３の先端３ｂをガイドワイヤ１の挿入方向に向いた状態に保持することができる。このため、一対の先端部２３，２３を閉じた状態に保持し続ける必要がないため、医療用チューブ５へのガイドワイヤ１の挿入作業性をより向上させることができる。
【００４４】
更に、この実施形態においては、本体部２０の先端部２３を分割するスリット２５の基端部に、円弧状の切欠き部２７が設けられているので、ガイドワイヤ１の屈曲した先端部３を、一対の先端部２３，２３の先端開口から挿出させた後、図４（ｃ）に示すように、一対の先端部２３，２３を閉じるときに、ガイドワイヤ１をスリット２５に噛み込みにくくすることができると共に、図５（ａ）に示すように、一対の先端部２３，２３を閉じた状態でガイドワイヤ１を手元側に引き戻すときに、ガイドワイヤ１がスリット２５の基端部に引っ掛かりにくくなり、スムーズに引き戻すことができる。
【００４５】
図８（ａ），（ｂ）には、本発明に係るガイドワイヤ用インサータの第２実施形態が示されている。なお、前記実施形態と実質的に同一部分には同符号を付してその説明を省略する。
【００４６】
この実施形態のガイドワイヤ用インサータ１０ａ（以下、「インサータ１０ａ」という）は、本体部２０の外周に、ゴム等の弾性材料で形成された環状の弾性部材４０がスライド可能に装着されている。また、一対の先端部２３，２３の基端側の外周であって、スリット２５基端部の切欠き部２７よりも先端側に、ストッパ突起４１，４１がそれぞれ突設されている。
【００４７】
そして、一対の先端部２３，２３が開いた自由状態で、前記弾性部材４０は、切欠き部２７よりも基端側に外装されており（図８（ａ）参照）、弾性部材４０をストッパ突起４１，４１に当接するまでスライドさせると、一対の先端部２３，２３の基端側に配置された弾性部材４０により、一対の先端部２３，２３を閉じる方向に付勢させて、同一対の先端部２３，２３を閉じた状態に保持することができるようになっている（図８（ｂ）参照）。すなわち、弾性部材４０が本発明における「弾性手段」をなしている。
【００４８】
この実施形態によれば、弾性部材４０をインサータ基端側にスライドさせて、一対の先端部２３，２３を開いた状態で（図８（ａ）参照）、ガイドワイヤ１の屈曲した先端部３を挿出させた後、弾性部材４０をストッパ突起４１に当接するまで先端側にスライドさせることで、一対の先端部２３，２３を閉じた状態に保持することができ（図８（ｂ）参照）、この状態でガイドワイヤ１を引き戻すことで、ガイドワイヤ１の先端部３の先端３ｂを、医療用チューブ５の基端開口に挿入可能な方向に保持することができる。そのため、インサータ１０ａの使用者が、本体部２０の先端部２３，２３を手指等で把持して、閉じた状態に保持する必要がないので、医療用チューブ５へのガイドワイヤ１の挿入作業の作業性をより向上させることができる。
【００４９】
図９（ａ），（ｂ）には、本発明に係るガイドワイヤ用インサータの第３実施形態が示されている。なお、前記実施形態と実質的に同一部分には同符号を付してその説明を省略する。
【００５０】
この実施形態のガイドワイヤ用インサータ１０ｂ（以下、「インサータ１０ｂ」という）は、一対の先端部２３，２３の基端側外周に、一対の先端部２３，２３を閉じた状態に保持する保持手段が設けられている。
【００５１】
すなわち、図９（ａ），（ｂ）に示すように、一方の先端部２３の基端側外周から、他方の先端部２３に向かって、撓み可能な係合爪４３が突設されていると共に、他方の先端部２３の基端側外周に、一対の先端部２３，２３が閉じた状態で、前記係合爪４３が係合する係合凹部４５が形成されており、これらの係合爪４３及び係合凹部４５が、本発明における「保持手段」をなしている。
【００５２】
この実施形態によれば、一対の先端部２３，２３を開き、ガイドワイヤ１の屈曲した先端部３を挿出させた後、一対の先端部２３，２３を閉じて、係合爪４３を係合凹部４５に係合させることで、一対の先端部２３，２３を閉じた状態に保持することができ、この状態でガイドワイヤ１を引き戻すことで、ガイドワイヤ１の先端部３の先端３ｂを、医療用チューブ５の基端開口に挿入可能な方向に保持することができるので、インサータ１０ｂの使用者が、本体部２０の先端部２３，２３を手指等で把持して、閉じた状態に保持する必要がないので、医療用チューブ５へのガイドワイヤ１の挿入作業の作業性をより向上させることができる。
【００５３】
図１０（ａ）〜（ｃ）には、本発明に係るガイドワイヤ用インサータの第４実施形態が示されている。なお、前記実施形態と実質的に同一部分には同符号を付してその説明を省略する。
【００５４】
この実施形態のガイドワイヤ用インサータ１０ｃ（以下、「インサータ１０ｃ」という）は、前記実施形態に対して、本体部２０が２つの半割体３０，３０で構成されている点が異なっている。
【００５５】
すなわち、このインサータ１０ｃの本体部２０は、軸方向に沿って２つに分割された半割体３０，３０からなり、これらの半割体３０，３０の中間部がヒンジ３１により開閉可能に連結された構造をなしている。
【００５６】
そして、この実施形態では、図１０（ａ）に示すように、半割体３０，３０の先端部２３側を閉じることにより、基端部２１側の基端における内径が拡径するので、インサータ１０ｃの基端部からガイドワイヤ１の先端部３を屈曲形状のまま挿入することができ、また、インサータ１０ｃ内にガイドワイヤ１を挿入した後、図１０（ｃ）に示すように、半割体３０，３０の基端部２１側を閉じることにより、先端部２３，２３側の内径が拡径して、先端部２３の先端開口からガイドワイヤ１の先端部３をスムーズに挿出させることができる。そして、再び先端部２３，２３を閉じて、ガイドワイヤ１の先端部３を引き戻すことにより、ガイドワイヤ１の先端部３の先端３ｂを、医療用チューブ５の基端開口に挿入可能な方向に向けて保持することができる。
【００５７】
図１１（ａ），（ｂ）には、本発明に係るガイドワイヤ用インサータの第５実施形態が示されている。なお、前記実施形態と実質的に同一部分には同符号を付してその説明を省略する。
【００５８】
この実施形態のガイドワイヤ用インサータ１０ｄ（以下、「インサータ１０ｄ」という）は、前記第４実施形態に対して、ガイドワイヤ挿入用の切欠き部３７が設けられている点が異なっている。
【００５９】
すなわち、本体部２０を構成する２つの半割体３０，３０の、ヒンジ３１により連結された部分よりも、基端部側の側壁に切欠き部３７，３７が形成されており、これらの切欠き部３７，３７を通してガイドワイヤ１の先端部３を挿入可能となっている。
【００６０】
この実施形態によれば、２つの半割体３０，３０の基端部側の側壁に、切欠き部３７，３７が設けられており、半割体３０，３０の間に本体部２０内腔に連通する大きな隙間を形成することができるので、これらの切欠き部３７，３７からインサータ１０ｄ内にガイドワイヤ１の先端部３をより容易に挿入することができる。
【００６１】
図１２（ａ）〜（ｄ）には、本発明に係るガイドワイヤ用インサータの第６実施形態が示されている。なお、前記実施形態と実質的に同一部分には同符号を付してその説明を省略する。
【００６２】
この実施形態のガイドワイヤ用インサータ１０ｅ（以下、「インサータ１０ｅ」という）は、２つの半割体３０，３０で開閉可能な構造を有していると共に、各半割体３０の先端部２３，２３どうしを閉じた状態に保持する弾性手段を備えている。
【００６３】
すなわち、図１２（ｂ），（ｄ）に示すように、２つの半割体３０，３０の基端部２１，２１の基端内周には、ゴムやスプリング等からなる、柱状の弾性部材４０ａが介装されており、半割体３０，３０の先端部２３，２３を閉じた状態に弾性付勢するようになっている。
【００６４】
したがって、インサータ使用者が手指等によって、弾性部材４０ａの付勢力に抗して、２つの半割体３０，３０の先端部２３，２３どうしを開き（図１２（ｃ），（ｄ）参照）、その状態を保持しながら、ガイドワイヤ１の屈曲した先端部３を挿出させた後、手指等を離して先端部２３，２３が開いた状態を解除すると、弾性部材４０ａの付勢力によって、半割体３０，３０の先端部２３，２３どうしを閉じた状態に保持することができ（図１２（ａ），（ｂ）参照）、この状態でガイドワイヤ１を引き戻すことで、ガイドワイヤ１の先端部３の先端３ｂを、医療用チューブ５の基端開口に挿入可能な方向に保持することができ、医療用チューブ５へのガイドワイヤ１の挿入作業の作業性を向上させる。
【符号の説明】
【００６５】
１  ガイドワイヤ
３  先端部
３ａ  屈曲部
３ｂ  先端
５  医療用チューブ
１０，１０ａ，１０ｂ，１０ｃ，１０ｄ，１０ｅ  ガイドワイヤ用インサータ
２０  本体部
２１  基端部
２３  先端部
２５  スリット
２７  切欠き部
３０  半割体
３１  ヒンジ
３７  切欠き部
【図１】
2014028001.tif 000003
【図２】
2014028001.tif 000004
【図３】
2014028001.tif 000005
【図４】
2014028001.tif 000006
【図５】
2014028001.tif 000007
【図６】
2014028001.tif 000008
【図７】
2014028001.tif 000009
【図８】
2014028001.tif 000010
【図９】
2014028001.tif 000011
【図１０】
2014028001.tif 000012
【図１１】
2014028001.tif 000013
【図１２】
2014028001.tif 000014